(57)【要約】      （修正有）【課題】成人体型の男性がワイシャツを着用後活動的な動きをした時にワイシャツの裾がまくれ上がる事を少なくするワイシャツの裾のまくれ上がり防止用具を提供する。【解決手段】着脱自在であるクリップ１の挟持部２で着用するワイシャツの後ろ身ごろの最下端部１５を挟み、この挟持部２に対して反対側に位置する、このクリップ１と紐等と連結接続する為の接続部端部の穴７に、伸縮する紐状の素材を通した後その接続部の端部８で折り返し、その伸縮する紐状の素材の端部９で縫合等で接続し、更にその伸縮する紐状の素材のもう一方の端末に着用するワイシャツのボタンホールとなる金具５またはボタンホールの有る生地を縫合等により接合したこれらのボタンホールを臀部下方から股下を通して前身ごろの掛けボタン１６最下部またはその延長線上先端部に取り付けられたボタン、これらボタンのいずれかに掛ける。【選択図】図５
0003198247.tif 000002
【実用新案登録請求の範囲】
【請求項１】
着脱自在であるクリップの生地や紙その他、物を挟む挟持部に着用するワイシャツの後ろ身ごろの最下端部を挟みその挟持部に対して反対側に位置するこのクリップと紐等と連結接続する為の接続部に、その長さを着用するワイシャツの前身ごろの最下端の掛けボタン、或いはその延長線上の端部と後ろ身ごろの最下端部とを臀部下方から股下を通して連結せしめるに足る長さの伸縮する紐状の素材を結合し、更にその伸縮する紐状の素材のもう一方の端部に着用するワイシャツのボタンホールとなる金具またはボタンホールの有る生地を接合したこれらのボタンホールを臀部下方から股下を通して前身ごろの掛けボタン最下部またはその延長線上先端部に取り付けられたボタン、これらボタンのいずれかに掛ける事により着用したワイシャツの裾がまくれ上がる事を少なくするワイシャツの裾のまくれ上がり防止用具。
【請求項２】
「請求項１」の伸縮する紐状の素材に長さ調節用の移動カンを取り付けてその長さの調節を計るワイシャツの裾のまくれ上がり防止用具。
【考案の詳細な説明】
【技術分野】
【０００１】  本考案は成人体型の男性がワイシャツを着用後活動的な動きをした時にワイシャツの裾がまくれ上がる事を少なくする為の用具である。
【背景技術】
【０００２】従来男性がワイシャツを着用して活動的な動きをした時ワイシャツの裾がまくれ上がってしまい修正する時は出来るだけ人目にさらさぬ気配りでの修正となる。又前記の様な状態にならぬように古くからワイシャツ後ろ身ごろの最下端を長くしてさらにその先端よりに作成したボタンホールを臀部下方から股下を通して前身ごろの掛けボタン最下部またはその前身ごろの合わせ用掛けボタンでは無くその延長線上に於いて前記の後ろ身ごろの最下端をながくしてその先端よりに作成したボタンホール用にとりつけられたボタンに掛ける事により裾のまくれ上がりをふせぐというワイシャツを入手する事でこの問題の解決は可能となる。しかしこのようなつくりのワイシャツは白無地が主であったり他の色柄ものであれば舞踏家向け等で特殊であり価格的にも高価な場合が多い。
【考案の概要】
【考案が解決しようとする課題】
【０００３】１、ズボンの中に入れて着用するワイシャツを着用しながら日常の仕事や雑務をこなしていく時に裾がまくれ上がってくるのは気になる事である。時にはワイシャツの一部がズボンの外にはみだしてしまう時もある。接客業や大事な場面では印象的にはマイナス、さらにはその時の仕事や目的に対する集中力に影響する事もかんがえられる。
２、上記の様な裾のまくれ上がりを少なくしようとする手段に於いて市販のワイシャツでワイシャツ後ろ身ごろの最下端を長くしてさらにその先端よりに作成したボタンホールを臀部下方から股下を通して前身ごろの掛けボタン最下部またはさらに前身ごろの合わせ用掛けボタンでは無くその延長線上に於いて前記の後ろ身ごろの最下端を長くしてさらにその先端よりに作成したボタンホール用にとりつけられたボタンに掛ける事により裾のまくれ上がりをふせぐというワイシャツを入手する事でこの問題の解決は可能となる。しかしこのようなつくりのワイシャツは白無地が主であったり他の色柄ものであれば舞踏家向け等で特殊であり価格的にも高価な場合が多い。
【課題を解決する為の手段】
【０００４】１、着脱自在であるクリップの生地や紙その他物を挟む挟持部で着用するワイシャツの後ろ身ごろの最下端部を挟み、この挟持部に対して反対側に位置する、このクリップと紐等と連結接続する為にもうけられた接続部の穴に、その長さを着用するワイシャツの前身ごろの最下端の掛けボタン、或いはその延長線上の端部と後ろ身ごろの最下端部とを臀部下方から股下を通して連結せしめるに足る長さの伸縮する紐状の素材を通した後その接続部の端部で折り返し、その伸縮する紐状の素材の端部で縫合等で接続し、その伸縮する紐状の素材のもう一方の端末に着用するワイシャツのボタンホールとなる金具またはボタンホールの有る生地を縫合等により接合したこれらのボタンホールを臀部下方から股下を通して前身ごろの掛けボタン最下部またはその延長線上先端部に取り付けられたボタン、これらボタンのいずれかに掛ける事により着用したワイシャツの裾がまくれ上がる事を少なくする。
２、上記の伸縮する紐状の素材に長さ調節用の移動カンを取り付けてその長さの調節を計る。
【考案の効果】
【０００５】  ワイシャツ単独で後ろ身ごろの最下部から臀部下方そして股下を通して前身ごろ最下部とを連結する機能の無いワイシャツを着用する場合に於いて前記の様なクリップ、伸縮する紐状の素材、ワイシャツのボタンホールとなる金具またはボタンホールの有る生地が一体化された本考案のワイシャツの裾のまくれ上がり防止用具のクリップの挟持部で後ろ身ごろの最下端部を挟み他方の一端であるボタンホールとなる金具またはボタンホールの有る生地を臀部下方から股下を通して前身ごろの掛けボタン最下部に、またはその延長線上先端部にとりつけられたボタン、これらのボタンに掛ける事により裾のまくれ上がりをふせぎ、又着用するワイシャツによっては後ろ身ごろの最下部から臀部下方から股下を通して前身ごろ最下部または掛けボタン最下部までの距離が違うので伸縮する紐状の素材に送り金具の移動カンを取り付けてその長さの調節を計れば本考案のワイシャツの裾のまくれ上がり防止用具がひとつあれば色んなワイシャツを着用する時もワイシャツの裾のまくれ上がりをすくなくする事が可能である。
【考案を実施する為の最良の形態】
【０００６】  着脱自在であるクリップの生地や紙その他物を挟む挟持部に対して反対側に位置する、このクリップと紐等と連結接続する為の接続部の端部の穴に、その長さを着用するワイシャツの前身ごろの最下端の掛けボタン、或いはその延長線上の端部と後ろ身ごろの最下端部とを臀部下方から股下を通して連結せしめるに足る長さの伸縮する紐状の素材を通した後、その接続部の端部で折り返し、その伸縮する紐状の素材の端部で縫合等で接続する、更にその伸縮する紐状の素材のもう一方の端末に着用するワイシャツのボタンホールとなる金具またはボタンホールの有る生地を縫合等により接合したワイシャツの裾のまくれ上がり防止用具。
【０００７】  １、着脱自在であるクリップの生地や紙その他物を挟む挟持部に対して反対側に位置する、このクリップと紐等と連結接続する為の接続部の端部の穴に、その長さを着用するワイシャツの前身ごろの最下端の掛けボタン、或いはその延長線上の端部と後ろ身ごろの最下端部とを臀部下方から股下を通して連結せしめるに足る長さの伸縮する紐状の素材を通して通過した後のその伸縮する紐状の素材の端部を移動カンの中央心棒に巻きつけて折り返しその伸縮する紐状の素材の端部にて縫合等で結合する。
２、前記接続部の端部の穴を通過し移動カンの中央心棒と縫合等で結合された伸縮する紐状の素材のもう一方の端部をその移動カンに対して伸縮する紐状の素材の長さを有する側の移動カンの片方の穴を通過させた後にこの移動カンの伸縮する紐状の素材の端部が縫合等で結合された中央心棒をまたぐ様にしてこの移動カンの他方の穴へ通過させた後のその端部に着用するワイシャツのボタンホールとなる金具またはボタンホールの有る生地を縫合等により接合した伸縮する紐状の素材のその長さの調節が可能なワイシャツの裾のまくれ上がり防止用具。
【図面の簡単な説明】
【０００８】
【図１】  クリップと伸縮する紐状の素材とボタンホールが連結一体化している状態の側面図
【図２】  クリップと伸縮する紐状の素材とボタンホールが連結一体化している状態のクリップの挟持部が開いた時の斜視図
【図３】  クリップと伸縮する紐状の素材とボタンホールが連結一体化している状態の伸縮する紐状の素材に移動カンがとりつけられた状態の側面図
【図４】  クリップと伸縮する紐状の素材とボタンホールが連結一体化している状態の伸縮する紐状の素材に移動カンがとりつけられた状態でクリップの挟持部が開いた時の斜視図
【図５】  クリップと伸縮する紐状の素材とボタンホールが連結一体化されたものをワイシャツ着用時に利用した場合の斜視図
【符号の説明】
【０００９】１    クリップ
２    クリップの挟持部
３    クリップと紐等と連結接続する為の接続部
４    伸縮する紐状の素材
５    ボタンホールの金具
６    ボタンホールの金具と伸縮する紐状の素材の接合部
７    クリップと紐等と連結接続する為の接続部の端部の穴
８    クリップと紐等と連結接続する為の接続部の端部の穴の端部
９    伸縮する紐状の素材の端部
１０  伸縮する紐状の素材の端部
１１  移動カン
１２  移動カンの中央心棒
１３  移動カンの穴
１４  移動カンの穴
１５  着用するワイシャツの後ろ身ごろの下端部
１６  ワイシャツのボタン
【実施例】
【００１０】  以下添付図面に従って一実施例を説明する。図２の様にクリップ１と紐等と連結接続する為のの接続部３の端部の穴７に伸縮する紐状の素材４を通し、その接続部３の端部の穴７の端部８で折り返しその伸縮する紐状の素材４の端部９で縫合等で接続する、更にその伸縮する紐状の素材４のもう一方の端末１０に着用するワイシャツのボタンホールとなる金具５を接合部６で接合する、またはボタンホールの有る生地を縫合等により接合したワイシャツの裾のまくれ上がり防止用具。【００１１】  １、図４の様にクリップ１と紐等と連結接続する為にもうけられた接続部３の穴７に伸縮する紐状の素材４を通して通過した後のその伸縮する紐状の素材４の端部９を移動カン１１の中央心棒１２に巻きつけて折り返しその伸縮する紐状の素材４の端部９にて縫合等で結合する。
２、前記接続部３の端部の穴７を通過し移動カン１１の中央心棒１２と縫合等で結合された伸縮する紐状の素材４のもう一方の端部１０をその移動カン１１に対して伸縮する紐状の素材４の長さを有する側の移動カン１１の片方の穴１３を通過させた後にこの移動カン１１の伸縮する紐状の素材４の端部９が縫合等で結合された中央心棒１２をまたぐ様にしてこの移動カンの他方の穴１４へ通過させた後のその端部１０に着用するワイシャツのボタンホールとなる金具５を接合部６で接合する、、またはボタンホールの有る生地を縫合等により接合したワイシャツの裾のまくれ上がり防止用具。【００１２】  説明に引用したクリップはＰＡＴ．２７０４６９７で、挟持部の開閉は挟持部にたいして接続部を９０度下方へ回転させることで挟持部が開き、接続部を同じく９０度元に戻す事で挟持部がとじて紙やその他を挟持する。
【図１】
0003198247.tif 000003
【図２】
0003198247.tif 000004
【図３】
0003198247.tif 000005
【図４】
0003198247.tif 000006
【図５】
0003198247.tif 000007